(57)【要約】      （修正有）【課題】作業の効率向上、身体への疲労度の軽減、小石の多い除草地の対策、害虫よりの被害の軽減等が可能となる除草具を提供する。【解決手段】長柄の先端部３に除草用部材の草取り刃１、除草収集部材２、及び、これらを長柄に取り付ける取り付け部材を設ける、草取り刃は除草の草に対して引き切りする角度になるように、地面に対して鋭角になる角度で長柄に取り付ける。長柄を引く事により除草ができ、除草後の草の収集も同除草具で出来る構成とする。【選択図】図１
0003221906.tif 000002
【実用新案登録請求の範囲】
【請求項１】
除草具長柄の先端部に草取り刃を設けてなる除草具において、除草具長柄に対して草取り刃を直角以外の角度で取り付けるとともに、草取り刃の反対側には除草収集部材を配置し、草取り刃を交換可能に取り付けることを特徴とする除草具。
【請求項２】
請求項１記載の除草具において、草取り刃の側部にも刃部を設けることを特徴とする除草具。
【請求項３】
請求項２記載の除草具において、除草具長柄の先端部に，草取り刃、除草収集部材、長柄取り付け部を設けた部材に長柄を接続して除草具一体とし、除草収集部材は折りたためる構成に、主に使用する草取り刃の刃先の形状を引き鋸刃の形状に、刃先の形状の大きさは、必要とする草取り場の草の大小により刃先の荒い、細の草取り刃が取り替えられる替刃方式として、草取り刃の両端も.草取り刃の一部として、片方は根深い草用として鋭角な角度の平刃として、根切りするように構成、一方の刃先は鋸刃形状であり作物等の狭い所で使用、主に使用する草取り刃は除草する草に対して撫で斬りする角度で、根切り除草が出来るように長柄が設けてある事を特徴とする除草具。                                                  
【考案の詳細な説明】
【技術分野】
【０００１】
本考案は、除草具に係り、雑草を根こそぎ薙ぎ取り部、堀切り部除草収集部を設けた、除草具に関するものである。
【背景技術】
【０００２】
農家の野菜畑、家庭園芸、空地などに雑草がはびこる温暖な時期特に夏場は数日の間に生い茂る。除草は大変な重労働であり、害虫や蚊などが多いので、最近では除草用の農薬が使用されて効果もあり、然し食する野菜に掛かる恐れ動物の二次的な害の発生も農薬の使用が恐れられ使用に制限が加えられる。
農薬の除草剤が使用される以前から手作業等で鎌やその他の手道具を使用し雑草を取り除く作業が行われていたが、作業の能率の低さや重労働などが伴い敬遠されがちである。
【考案の概要】
【考案が解決しようとする課題】
【０００３】
除草具としての手道具は種々の考案がなされていて、それぞれの長所と短所があり例えば短柄の草取り鎌では腰を落とし屈みこむ姿勢のため細かい処まで草取りが可能であるが非常に重労働で能率が悪い。又、長柄の草かき具では作業姿勢も良く草取りの効率も良く労働が比較的にらくである、然しこの物に有っては取った草に多くの土が混じり草だけを取り分けるとゆう作業が伴う。また、短柄の草取り鎌長柄の草かき具は刃物であり刃先（切り刃）の部分が焼き入りのため堅い物（小石等）では刃毀れや摩耗とで作業効率が悪くなる、前述の欠点を解決しようとするものである。
【課題を解決するための手段】
【０００４】
本考案は、草取り作業の軽減化を計り然も作業の効率を上げる構成としてコンパクトで多機能な構成とし、立ち位置での作業が可能となるように長柄の使用を計り草取り刃部の三方に其々の働きが違う刃型を設ける事で草取り作業の効率を計ると共に刃部上部の使用しない部分に草取り済みの草を収集する除草収集材を設けた、また、草取り刃部と長柄との取りつけ角度を除草が楽な角度とする（撫で斬り）、長柄の引く方向が草に対して鋭角に設ける、従来の構成の物と比べ比較的に身体が楽で効率の良い作業が可能となり、又、刃物が硬質材使用で、焼き入り刃物と違い刃毀れを起こしがたい、小石等を気にしないで作業が出来る構成となっている。
【考案の効果】
【０００５】
上述の様に、本考案の草取り具は、立ち位置での作業により身体の負担の軽減を計り然も草取り作業の効率を上げる刃型の構成を各所に設け除草される草を根こそぎ引き抜く構成であり草の復活がない方法であり、長柄と除草用刃が除草される草を薙ぎ切る（根切り、抜く）角度に構成されてあり引く力をセイブでき、除草された草を収集できる構成も設けられて有り作業の効率を上げる構成となっている
【図面の簡単な説明】
【０００６】
【図１】本考案の草取り刃、除草収集部材、長柄の一部等を示す斜視図である。
【図２】本考案の上部から見た平面図である。
【図３】本考案の草とり刃、長柄取り付け部材4、等を示す平面図である。
【図４】本考案の図3に示すＡの部分の拡大一部切欠断面図である。
【図５】本考案の図3に示すＢの部分の拡大一部切欠断面図である。
【考案を実施するための形態】
【０００７】
除草具の草取り刃の主に用いる刃型を荒い鋸刃の形状に設け、除草する草に対して薙ぎ根切り、引き抜く角度に長柄を取りつけ、その角度により力がセイブでき、草取り刃の両端の片方に除草し難い大きい草根の為に根切り用の切り刃を設けてあり、長柄に近い方で取りつけ角度の鋭角の側、（図2参照）他方の端に作物等の狭い所の除草の為に鋸刃形状が設けられ、主に用いる刃型の上方にあたる部分に除草収集部材を設けた事により効率が良い構成となっている。
【実施例】
【０００８】
以下、添付図面に従って一実施例を説明する。図１は、１は草取り刃、２は除草収集部材、３の長柄の取りつけ角度等を示した斜視図。長い辺の草取り刃の刃型は引き鋸刃形状となっており、また側面の片方は鋸刃形状で草取る位置の狭い所で使用、また一方の側面は太めの草の根を掘り切る刃型形状としてある。また、草取り刃は、除草する草の種類、大、小、除草場の広さ等により刃型形状の荒い、細を替えると効率が上がるので、取り替えられる構成となっている（ネジ止め等で）。尚刃物は硬質材使用で、焼き入り刃物と違い刃毀れを起こしがたい、小石等を気にしないで作業が出来る構成となっている。
【０００９】
図２は、除草具材を表した平面図で草とり刃１の両側面Ａ、Ｂ部を表した図でＡは除草し難い大きめの草の根を掘り切るための刃型でありＢ側方面からＡ側に振り込む事により草の根を切り取る、またＢ部はＡ部を上側にして作物等の込み入った狭い所の除草を可能にする為に設けた、除草収集部材２、除草作業時は折りたたむ構成で、除草作業が円滑に行われる。除草具長柄３に対して、草取り刃１は直角以外の角度を持って柄に対して斜めに取り付けられている。草取り刃１が直角につけられている場合は、草を集めるために除草具長柄３を引くと、草や土はそのまま引く手の方に寄せられ堆積してしまい、除草作業に大きな労力が必要となってしまう。これに対して、草取り刃１が直角以外の角度で斜めに取り付けられていると、除草具長柄３を引いても、草や土は引き手の方ではなく、引き手の側面側に寄せられ、その後の収集作業を効率よく行うことができる。
【００１０】
図3は、草取り刃1、除草収集部材2、長柄取り付け部材4の平面図で，取り付け部材4は草取り刃の交換ができるように、取り付け部材4は草取り刃1を挟み込む形状でありボルトとナットで収納できる構成してある、図4、図5は図3に示したＡ、Ｂ部の拡大図で図4のＡ部は根深い草を取るために刃先が鋭利なっている、図5のＢ部は刃先が鈍角になっている、以上からなる構成で本考案の除草具ができている。
【符号の説明】
【００１１】
１  草取り刃
２  除草収集部材
３  除草具長柄
４  草取り刃、除草収集材、長柄取り付け部材
５  Ａ草切り刃部
６  Ｂ細部用刃部
【図１】
0003221906.tif 000003
【図２】
0003221906.tif 000004
【図３】
0003221906.tif 000005
【図４】
0003221906.tif 000006
【図５】
0003221906.tif 000007